(57)【要約】【課題】投写開始直後から投写映像が十分な輝度を得ることを可能にした、投写型表示装置を提供すること。【解決手段】光源を有する投写型表示装置であって、前記光源の温度を調整する、光源温度調整手段と、投写開始前操作を検出する、投写開始前操作検出手段を備え、前記投写開始前操作検出手段の検出結果が、投写開始前操作に該当する場合には前記光源の温度調整を開始し、規定時間内に投写開始操作が行われない場合は、前記光源の温度調整を終了することを特徴とする構成とした。【選択図】  図１
2015145891.tif 000002
【特許請求の範囲】
【請求項１】
光源を有する投写型表示装置であって、
前記光源の温度を調整する光源温度調整手段と、 
投写開始前操作を検出する投写開始前操作検出手段を備え、 
前記投写開始前操作検出手段の検出結果が、投写開始前操作に該当する場合には前記光源の温度調整を開始し、 
規定時間内に投写開始操作が行われない場合は、前記光源の温度調整を終了することを特徴とする投写型表示装置。
【請求項２】
リモコンの動きを検出する、リモコン動作検出手段を備え、 
前記投写開始前操作検出手段は、前記リモコン動作検出手段であることを特徴とする請求項１に記載の投写型表示装置。
【請求項３】
前記投写開始前操作検出手段は、外部からの電源入力を検知することを特徴とする請求項１に記載の投写型表示装置。
【請求項４】
前記投写開始前操作検出手段は、映像信号の入力を検知することを特徴とする請求項１に記載の投写型表示装置。
【請求項５】
前記投写開始前操作検出手段は、通信信号の入力を検知することを特徴とする請求項１に記載の投写型表示装置。
【発明の詳細な説明】
【技術分野】
【０００１】
本発明は、光源を備える投写型表示装置に関し、特に投写型表示装置の起動に関するものである。
【背景技術】
【０００２】
従来、光源からの光を、液晶パネルなどの光変調素子にて入力映像信号に応じて変調し、スクリーンや壁などに映像を拡大投写する、投写型表示装置が知られている。
【０００３】
投写型表示装置の光源には、高圧水銀ランプやメタルハライドランプが主に用いられる。これらの光源は、点灯開始後に十分な輝度になるまでに一定時間かかるが、これは光源の温度が安定する為に必要となる。多くの投写型表示装置では、光源の輝度が安定するまであらかじめ用意された映像を投写し、この時間を利用して投写型表示装置内部の初期化等を行っている。
【０００４】
しかしながら、光源の輝度安定には数秒から長いものでは数十秒要する事もあり、投写型表示装置内部の初期化に対して圧倒的に長く、使用者は輝度が安定するまで待つ必要がある。そのため、光源の輝度が安定するまでの時間を短縮することが望まれている。
【０００５】
特許文献１では、光源の温度に応じて、光源からの放熱量を変化させる投写型表示装置が開示されている。光源の温度が高い場合には光源からの放熱量を多くし、起動直後など光源の温度が低い場合には、光源からの放熱量を低くすることにより、光源の駆動開始後の温度上昇が速くなる為、輝度安定までの時間を改善する事が可能となる。
【０００６】
また、特許文献2では、光源の冷却を行うファンの回転数制御により、輝度安定までの時間を短縮する投写型表示装置が開示されている。光源冷却用のファンの回転数を、光源が駆動開始されてから定常駆動時の回転数よりも小さい回転数で冷却することにより、輝度安定までの時間を改善する事が可能となる。
【先行技術文献】
【特許文献】
【０００７】
【特許文献１】特開２００４−２８７１９０号公報
【特許文献２】特開２００７−３２８００５号公報
【発明の概要】
【発明が解決しようとする課題】
【０００８】
しかしながら、上述の特許文献に開示された従来技術は、投写型表示装置の投写開始後に行う制御である為、輝度安定に要する時間を短縮することは可能ではあるが、投写開始直後から十分な輝度を得ることが出来ない。
【０００９】
そこで、本発明の目的は、投写開始直後から投写映像が十分な輝度を得ることを可能にした、投写型表示装置を提供することである。
【課題を解決するための手段】
【００１０】
上記目的を達成するために、本発明は、光源を有する投写型表示装置であって、前記光源の温度を調整する光源温度調整手段と、投写開始前操作を検出する投写開始前操作検出手段を備え、前記投写開始前操作検出手段の検出結果が、投写開始前操作に該当する場合には前記光源の温度調整を開始し、規定時間内に投写開始操作が行われない場合は、前記光源の温度調整を終了することを特徴とする。
【発明の効果】
【００１１】
本発明によれば、投写開始直後から投写映像が十分な輝度を得ることを可能とした、投写型表示装置を提供することができる。
【図面の簡単な説明】
【００１２】
【図１】実施例１における投写型表示装置のシステム構成
【図２】実施例１におけるリモコンのシステム構成
【図３】実施例１におけるフローチャート
【図４】実施例２におけるフローチャート
【発明を実施するための形態】
【００１３】
以下に、本発明の好ましい実施の形態を、添付の図面に基づいて詳細に説明する。
【００１４】
［実施例１］
図１に実施例１における投写型表示装置のシステム構成を示す。また、図２に実施例２におけるリモコンのシステム構成を示す。
【００１５】
ＰＣなどの外部機器から与えられる映像信号は、まず映像信号入力部１に入力される。映像信号入力部１はＶＧＡやＶｉｄｅｏ信号などのアナログ信号をデジタル信号に変換するＡＤ変換や、ＨＤＭＩ（登録商標）やＤＶＩなどのデジタル信号を所定のデジタル信号フォーマットに変換するレシーバなどからなる。
【００１６】
映像信号入力部１にて変換されたデジタル映像信号は、映像信号処理部２に送られる。映像信号処理部２では、入力される映像信号の解像度を読み取り、内部での処理に必要な解像度へ変換するスケーリング処理や、ボタン操作時のメニュー表示や台形補正（キーストン補正）処理などを行う。
【００１７】
映像信号処理部２で所定フォーマットに処理されたデジタル信号は、液晶駆動部３に送られ、光学ユニット６内の液晶パネルを駆動する液晶駆動信号に変換される。
【００１８】
バラスト４は光源５の電源であり、定電力制御を行うことによって光源５での発光量を一定に保っている。光源５の点灯・消灯制御、あるいは光源５での発光レベルを調整する調光処理を、制御部１０によって行う。
【００１９】
光学ユニット６は、照明光学素子、液晶パネル、色分離手段、色合成手段などから構成される。光源５からの光は照明光学素子にて照度分布が均一化され、色分離手段にてＲＧＢ３色に分離される。分離された光はＲＧＢそれぞれ別々の液晶パネルに照射され、映像信号に応じて透過率（反射率）を変える。ＲＧＢそれぞれの透過光（反射光）を色合成手段にて合成することにより、映像が生成される。
【００２０】
光学ユニット６で生成された映像は、投写レンズ７によってスクリーン３００へ拡大投写される。
【００２１】
電源部８は、外部から入力されるＡＣ電源をＤＣ電源への変換し、バラスト４あるいは投写型表示装置１００内の各部に電源供給すると共に、ＰＦＣ回路による力率改善等も行っている。
【００２２】
光源温度調整部９は、ヒータ等により構成され、光源５のプリヒートを行う。図１では光源５および光源温度調整部９は別々に記載しているが、光源５内部に構成してもよい。
【００２３】
制御部１０はマイクロコンピュータなどのＣＰＵで構成され、投写型表示装置１００の全般的な制御を行う。例えば、バラスト４への制御信号により光源５の点灯・消灯制御や、投写レンズ７のズーム・フォーカス制御、各回路への電源供給制御、あるいは不図示であるが冷却用のＦＡＮ駆動などを行う。その他にも光源５の不点灯や、投写型表示装置１００内部の温度異常時に、光源５を消灯するなどの終了処理を行い、ＬＥＤなどを点灯するなどによって使用者へ異常を知らせるなどの処理も行っている。
【００２４】
制御部１０には記憶部１１が接続されており、ＥＥＰＲＯＭやＦＬＡＳＨメモリなどの不揮発性メモリで構成され、投写型表示装置１００の設定データや、異常発生時の状態記録（エラーコードの記録）などに使用される。
【００２５】
使用者はリモコン２００あるいは操作パネル１３から投写型表示装置１００の操作を行う。リモコン２００で操作を行った場合は、リモコン２００からの信号をリモコン受光部１２で受信し、制御部１０へデータを送信する。操作パネル１３で操作を行った場合は、制御部１０がどのボタンが押されたかを検知する。制御部１０は、受光センサ１２から送信されるデータあるいは、操作パネル１３にて押されたボタンに応じて、電源オン・オフ（投写開始、投写終了）など種々の操作を受け付ける。
【００２６】
加速度センサ１４は投写型表示装置１００の傾きなどの設置状態を検出する。例えば投写型表示装置１００の傾き角度を検出し、投写映像にキーストン補正と呼ばれる台形補正をかけることにより、投写面で正方形の投写映像を実現できる。あるいは、天井に設置されている場合など、裏向きに設置されていることも検知できる。
【００２７】
通信部１５は、投写型表示装置１００をＰＣ等の周辺機器と接続することにより、投写型表示装置１００を制御することが可能となり、ＲＳ２３２ＣやＵＳＢ、あるいはＬＡＮがそれに該当する。通信部１５を介して通信を行う事により、リモコン２００や操作パネル１３以外から電源オン・オフなどの制御を行えると共に、投写していない状態でも投写型表示装置１００内部のデータを得る事が可能となる。
【００２８】
次に、図２に記載のリモコン２００のシステム構成について説明する。リモコン２００は、リモコン制御部２０１、入力部２０２、送信部２０３、動作検知部２０４を備える。
入力部２０２は、リモコン２００に配置されたボタンからなり、使用者がリモコン２００のボタンを押すと、リモコン制御部２０１はどのボタンが押されたかを検知する。リモコン制御部２０１は、押されたボタンに応じたデータを、送信部２０３を経由して投写型表示装置１００に送信する。
【００２９】
動作検知部２０４は、加速度センサなどにより構成され、リモコン２００の動きを検出する機能を備える。リモコン制御部２０１は押されたボタンの情報以外に、リモコン２００の動きを検出して、投写型表示装置１００に送信する。
【００３０】
次に、実施例１における投写型表示装置の動作について説明する。図３は実施例１におけるフローチャートである。
【００３１】
（ステップＳ１０１）
まず、投写型表示装置１００がスタンバイ状態（非投写状態）において、使用者が電源オン操作（以下、投写開始操作）を行う為に、リモコン２００を持ったとする。この時、リモコン２００のリモコン制御部２０１は、動作検知部２０４の検知結果により、リモコン２００が動いたと判断し、動き情報を送信部２０３から送信する。
【００３２】
投写型表示装置１００では、リモコンの動き情報をリモコン受光部１２で受信し、制御部１０に送られる。
【００３３】
（ステップＳ１０２）
制御部１０は、リモコン２００の動作情報を受け取ると、使用者がその後投写開始操作を行うと判断し、光源温度調整部９の駆動を開始して、先行して光源５のプリヒートを行う。
【００３４】
（ステップＳ１０３）
制御部１０は、光源５のプリヒートを続けながら、投写開始操作を行われるのを待つ。
【００３５】
（ステップＳ１０４）
使用者が投写開始（電源オン）操作を行うと、制御部１０はその情報を受け取り、光源５の点灯、およびその他の投写に必要な初期化を開始する。この時、事前に光源５をプリヒートしていた事により、点灯後でも光源５の輝度が安定し、内部初期化後から所定の輝度にて映像を投写することができる。
【００３６】
（ステップＳ１０５）
使用者が投写開始操作を行わない場合は、光源５のプリヒートを続けても、電力の無駄となる。その為、プリヒートを続ける時間を規定し、その規定時間内で投写開始操作を待つ。
【００３７】
（ステップＳ１０６）
規定時間内に投写開始操作が行われなかった場合は、光源のプリヒートを終了して、スタンバイ状態に移行して終了する。
【００３８】
以上の制御によって、投写型表示装置の投写開始前操作を検知して、事前に光源の温度を調整しておく事により、投写開始直後から投写映像が十分な輝度を得ることが可能となる。
【００３９】
以上、本発明の好ましい実施形態について説明したが、本発明はこれらの実施形態に限定されず、その要旨の範囲内で種々の変形及び変更が可能である。
【００４０】
［実施例２］
実施例１では、リモコンの動きを投写開始前操作とした。実施例２では、外部電源投入を投写開始前操作とした場合について説明する。
【００４１】
実施例２における投写型表示装置のシステム構成は、図１の実施例１における投写型表示装置のシステム構成と同じである。そのため、システム構成については、説明を省略する。
【００４２】
図４は、実施例２におけるフローチャートである。図３の実施例１におけるフローチャートから、ステップＳ１０１のリモコンの動き検知を、ステップＳ２０１の電源投入および、ステップＳ２０２の内部初期化に変更している。
【００４３】
以降、図４のフローチャートを用いて、本実施例の動作について説明する。
【００４４】
（ステップＳ２０１）
投写型表示装置１００は、外部からＡＣ電源が投入されると、上述した通り電源部８にてＤＣ電源に変換を行い、内部へ電源供給を開始する。
【００４５】
（ステップＳ２０２）
制御部１０に電源が供給されると、まず制御部１０自身の初期化を行う。その後必要な周辺回路（デバイス）の初期化を行い、投写型表示装置１００はスタンバイ状態に移行可能な状態となる。
【００４６】
（ステップＳ１０２）
制御部１０は初期化が終了すると、使用者がその後投写開始操作を行うと判断し、光源温度調整部９の駆動を開始して、先行して光源５のプリヒートを行う。
【００４７】
以降の処理は実施例１と同じとなり、外部電源投入後に投写開始操作が行われれば、投写を開始する。規定時間内に投写開始操作が行われなければ、光源のプリヒートを終了して、スタンバイ状態に移行する。
【００４８】
以上の制御により、外部電源投入を投写型表示装置の投写開始前操作と判断し、事前に光源の温度を調整することで、投写開始直後から投写映像が十分な輝度を得ることが可能となる。
【００４９】
実施例１では、リモコンの動きを投写開始前操作と判断することにより、事前に光源の温度調整を可能としている。また、実施例２では、外部電源投入を投写開始前操作とした。
【００５０】
この投写開始前操作は、他にも考えられる。例えば、ＰＣやＡＶ機器などの映像信号出力機器と、投写型表示装置をケーブル等で接続後も、その後投写開始する事が予想される。
【００５１】
その為、映像信号が入力（接続）された事を、投写開始前操作としてもよい。また、ＲＳ２３２ＣやＵＳＢ等の通信信号が入力（接続）された事を、投写開始前操としてもよい。
【００５２】
以上、本発明の好ましい実施形態について説明したが、本発明はこれらの実施形態に限定されず、その要旨の範囲内で種々の変形及び変更が可能である。
【符号の説明】
【００５３】
１  映像信号入力部
２  映像信号処理部
３  液晶駆動部
４  バラスト
５  光源
６  光学ユニット
７  投写レンズ
８  電源部
９  光源温度調整部
１０  制御部
１１  記憶部
１２  リモコン受光部
１３  操作パネル
１４  加速度センサ
１５  通信部
１００  投写型表示装置
２００  リモコン
２０１  リモコン制御部
２０２  入力部
２０３  送信部
２０４  動作検知部
３００  スクリーン
【図１】
2015145891.tif 000003
【図２】
2015145891.tif 000004
【図３】
2015145891.tif 000005
【図４】
2015145891.tif 000006